(57)【要約】【課題】効率的に連続製造が可能な底付き包装袋の製造方法を提供する。【解決手段】  胴部材用フィルム２１の流れ方向に対して垂直方向に底部材用フィルム３を配置した底付き包装袋の製造方法であって、胴部材用フィルム２１を巻き付けるロール４の周面と、胴部材用フィルム２１との間に底部材用フィルム３を挿入する挿入工程と、ロール４の周面と胴部材用フィルム２１との間に、底部材用フィルム３を介在させた状態で、ロール４の回転にシールバー５を追従させながら、胴部材用フィルム２１に底部材用フィルム３をヒートシールするヒートシール工程と、底部材用フィルム３がヒートシールされた胴部材用フィルム２１を製袋する製袋工程とを備える。【選択図】図３
2013116611.tif 000002
【特許請求の範囲】
【請求項１】
胴部材用フィルムの流れ方向に対して垂直方向に底部材用フィルムを配置した底付き包装袋の製造方法であって、
前記胴部材用フィルムを巻き付けるロールの周面と、前記胴部材用フィルムとの間に前記底部材用フィルムを挿入する挿入工程と、
前記ロールの周面と前記胴部材用フィルムとの間に、前記底部材用フィルムを介在させた状態で、前記ロールの回転にシールバーを追従させながら、前記胴部材用フィルムに前記底部材用フィルムをヒートシールするヒートシール工程と、
前記底部材用フィルムがヒートシールされた胴部材用フィルムを製袋する製袋工程と、を備える
ことを特徴とする底付き包装袋の製造方法。
【請求項２】
請求項１に記載の底付き包装袋の製造方法において、
前記挿入工程では、前記底部材用フィルムと前記胴部材用フィルムとの間、かつ、前記底付き包装袋の側端部となる位置に補強テープを配置し、
前記ヒートシール工程では、前記側端部となる位置に配置された補強テープを介在させた状態で、前記底部材用フィルムと前記胴部材用フィルムとをヒートシールする
ことを特徴とする底付き包装袋の製造方法。
【請求項３】
請求項２に記載の底付き包装袋の製造方法において、
前記製袋工程は、前記底部材用フィルムがヒートシールされた胴部材用フィルムの端部をヒートシールして背貼部を形成する背貼工程と、
前記胴部材用フィルム側から、前記補強テープが配置された側端部において、前記底部材用フィルムと前記胴部材用フィルムとをさらにヒートシールする側端部シール工程と、
前記底部材用フィルムの底部と前記胴部材用フィルムの底部とをヒートシールする底部形成工程と、を備える
ことを特徴とする底付き包装袋の製造方法。
【発明の詳細な説明】
【技術分野】
【０００１】
本発明は、底付き包装袋の製造方法に関する。
【背景技術】
【０００２】
従来、底部にガゼットが形成され、自立可能なピロー包装袋が知られている（特許文献１参照）。
特許文献１のピロー包装袋の製造においては、胴部材用フィルムに底部材用フィルムを重ねてヒートシールした後、背貼部をヒートシールにより形成し、袋状にしている。
【先行技術文献】
【特許文献】
【０００３】
【特許文献１】特開２０１０−１０５７４１号公報
【発明の概要】
【発明が解決しようとする課題】
【０００４】
一般に、ピロー包装袋は、横ピロー包装機や縦ピロー包装機を用いて連続製造されるが、これらの包装機に、胴部材用フィルムと底部材用フィルムとをヒートシールする工程を設けることは困難である。
一方、特許文献１に記載の製造方法においては、胴部材用フィルムと底部材用フィルムとをヒートシールする工程が設けられているが、実施にあたっては、背貼部のヒートシール工程も考慮して順序良く連続して効率的に行う必要があり、連続製造に組み入れることは困難である。
【０００５】
本発明の目的は、効率的に連続製造が可能な底付き包装袋の製造方法を提供することにある。
【課題を解決するための手段】
【０００６】
本発明は、胴部材用フィルムの流れ方向に対して垂直方向に底部材用フィルムを配置した底付き包装袋の製造方法であって、前記胴部材用フィルムを巻き付けるロールの周面と、前記胴部材用フィルムとの間に前記底部材用フィルムを挿入する挿入工程と、前記ロールの周面と前記胴部材用フィルムとの間に、前記底部材用フィルムを介在させた状態で、前記ロールの回転にシールバーを追従させながら、前記胴部材用フィルムに前記底部材用フィルムをヒートシールするヒートシール工程と、前記底部材用フィルムがヒートシールされた胴部材用フィルムを製袋する製袋工程と、を備えることを特徴とする。
【０００７】
本発明では、ロールの回転にシールバーを追従させるため、ヒートシールする際、底部材用フィルムの流れを止める必要がない。そのため、胴部材用フィルムを流したまま、底部材用フィルムをヒートシールできるので、効率的に連続製造できる。そして、底部材用フィルムがヒートシールされた胴部材用フィルムに、背貼部をヒートシールにより形成して製袋することで、連続的に底付き包装袋を製造できる。この底付き包装袋はピロー包装袋とすることが好ましい。
また、ロールの周面と胴部材用フィルムとの間に、底部材用フィルムを介在させた状態でヒートシールするため、底部材用フィルムが位置ずれしない。よって、所定の位置に底部材用フィルムをヒートシールできるので、ヒートシール箇所の位置ずれも防止できる。
そして、シールバーを追従させた状態でヒートシールするため、融着時間を長くできる。従って、確実に底部材用フィルムをヒートシールできる。
なお、このロールの周面上におけるヒートシールは、いわゆる仮止め（擬似接着）でもよい。この場合、別途底部材用フィルムを胴部材用フィルムに強くヒートシールすればよい。
【０００８】
さらに、本発明において、前記挿入工程では、前記底部材用フィルムと前記胴部材用フィルムとの間、かつ、前記底付き包装袋の側端部となる位置に補強テープを配置し、前記ヒートシール工程では、前記側端部となる位置に配置された補強テープを介在させた状態で、前記底部材用フィルムと前記胴部材用フィルムとをヒートシールすることが好ましい。
本発明では、補強テープを介在させることで、底部材用フィルムと胴部材用フィルムとの接着が良好となり、密封性に優れる。そのため、ピンホールなどの接着不良が発生することを防止できる。
【０００９】
ここで、本発明において、前記製袋工程は、前記底部材用フィルムがヒートシールされた胴部材用フィルムの端部をヒートシールして背貼部を形成する背貼工程と、前記胴部材用フィルム側から、前記補強テープが配置された側端部において、前記底部材用フィルムと前記胴部材用フィルムとをさらにヒートシールする側端部シール工程と、前記底部材用フィルムの底部と前記胴部材用フィルムの底部とをヒートシールする底部形成工程と、を備えることが好ましい。
【００１０】
本発明では、上述のヒートシール工程に加えて、側端部シール工程を行うため、底部材用フィルムと胴部材用フィルムとの接着不良をさらに防止できる。従って、密封性に優れた底付き包装袋を製造できる。
【図面の簡単な説明】
【００１１】
【図１】実施形態の底付きピロー包装袋の製造方法により得られた底付きピロー包装袋を示す正面図である。
【図２】前記底付きピロー包装袋を示す断面図である。
【図３】前記実施形態の底付きピロー包装袋の製造における挿入工程及びヒートシール工程を示す図である。
【図４】前記実施形態の底付きピロー包装袋の製造における製袋工程を示す図である。
【図５】背貼り部の各種態様を示す断面図である。
【発明を実施するための形態】
【００１２】
以下、本発明の実施形態を図面に基づいて説明する。本実施形態で製造される底付き包装袋はピロー包装袋である。
本実施形態の底付きピロー包装袋の製造方法により製造される底付きピロー包装袋（以下、「ピロー包装袋」と略記する場合がある。）は、内容物として、例えば、液体、粉末、ゲルなどを充填する場合に好適に用いられる。また、ピロー包装袋は、例えば、食品、薬品、医療品、化粧品、雑貨の各種物品を包装する場合に用いることもできる。なお、内容物の種類、包装袋の用途は、これらに限られない。
【００１３】
図１，２に示すように、ピロー包装袋１は、底部にガゼットが形成された自立可能なものである。ピロー包装袋１は、具体的には、袋体２と、袋体２にヒートシールされた底部材用フィルム（以下、「底フィルム」と略記する場合がある）３と、袋体２と底フィルム３との間に配置された補強テープ３１とを備える。
袋体２は、胴部材用フィルム（以下、「胴フィルム」と略記する場合がある）２１の端部を重ね合わせて形成されたものである。袋体２は、上端部に形成されたトップシール部２２と、下端部に形成されたボトムシール部２３と、トップシール部２２からボトムシール部２３に亘って形成された背貼部２４とを有する。
【００１４】
図２に示すように、胴フィルム２１としては、基材層２１１にシーラント層２１２を積層した積層フィルムである。基材層２１１としては、例えば、二軸延伸ポリエステルフィルム、二軸延伸ナイロンフィルム、及び二軸延伸ポリオレフィンフィルム等を用いることができ、シーラント層２１２としては、例えば、低密度ポリエチレン等を用いることができる。
底フィルム３は、袋体２のシーラント層２１２の内面にヒートシールされている。底フィルム３は、２つ折りにされた形状であり、基材層３０１及びシーラント層３０２により構成されている。基材層３０１及びシーラント層３０２としては、例えば、胴フィルム２１の基材層２１１及びシーラント層２１２と同様の材料によりそれぞれ形成されている。
図１に示すように、補強テープ３１は、袋体２の側端部２５であり、底フィルム３の長手方向の両端部のみに一対配置されている。この補強テープ３１は、２つ折りにされた形状であり、底フィルム３の一方の面（図１の紙面上側）から他方の面（図１の紙面下側）に亘って配置されている。すなわち、補強テープ３１は、側端部２５において、胴フィルム２１と底フィルム３との間に介在しており、底フィルム３の端部を覆うように配置されている（図４参照）。補強テープ３１としては、例えば、低密度ポリエチレンフィルム等を用いることができる。
【００１５】
（底付きピロー包装袋の製造方法）
次に、図３，４を用いて、本実施形態の底付きピロー包装袋の製造方法を説明する。図３，４に示すように、ピロー包装袋の製造方法では、挿入工程、ヒートシール工程と、製袋工程とを備える。
図３に示すように、図示しない胴フィルム用ロールより、胴フィルム２１が繰り出される。胴フィルム２１は、ロール４と第１小ロール４１との隙間、ロール４とシールバー５との隙間、ロール４と第２小ロール４２との隙間に順に送り込まれる。そして、胴フィルム２１は、ロール４の周面に巻き付けられる。
一方、図示しない底フィルム用ロールより、２つ折りされた底フィルム３が繰り出され、ピロー包装袋１の横幅と略同じ長さに切断される。その後、切断された底フィルム３には、その両端部を覆うように一対の補強テープ３１が配置される（図４参照）。
【００１６】
そして、挿入工程では、切断され、一対の補強テープ３１が袋体２の側端部２５となる両位置に載置された底フィルム３が間欠的にロール４の周面の上部に載置される。載置された底フィルム３と補強テープ３１とは、ロール４の回転によりロール４の周面と胴フィルム２１との間に挿入される。そして、底フィルム３は、胴フィルム２１とロール４との間に挟み込まれた状態で、ロール４の周面に沿って移動する。
【００１７】
ヒートシール工程では、ロール４とシールバー５との隙間に底フィルム３が位置した際、シリンダーなどの移動機構５１によりロール４にシールバー５が近づく。これにより、底フィルム３に胴フィルム２１が押し付けられる。そして、底フィルム３が胴フィルム２１とロール４の周面との間で介在した状態で、シールバー５がロール４の回転に追従する。これにより、補強テープ３１が介在した状態で胴フィルム２１と底フィルム３とがヒートシールされる。また、このとき補強テープ３１の一部もヒートシールされ側端部２５の一部をなすものとなる。
シールバー５が所定距離移動した後、移動機構５１により胴フィルム２１から離れると、シールバー５は、図示しないバネ機構により、元の位置に戻る。そして、後続の底フィルム３がロール４とシールバー５との隙間に位置した際、同様に、胴フィルム２１と底フィルム３とが補強テープ３１を介在した状態でヒートシールされる。このようにして、１つのシールバー５により胴フィルム２１に底フィルム３が繰り返しヒートシールされる。
そして、底フィルム３がヒートシールされた胴フィルム２１は、図４に示すような製袋工程に送られる。
【００１８】
製袋工程は、背貼工程と、側端部シール工程と、底部形成工程とにより構成されている。
背貼工程では、底フィルム３がヒートシールされた胴フィルム２１が円柱状の柱状部材６１に巻き付けられる。
そして、胴フィルム２１の流れ方向に沿った両端部を折り曲げて、背貼シーラー６２により背貼部２４が形成される。これにより、筒状の袋体２が形成される。その後、折曲バー６３により背貼部２４が折り曲げられる。
側端部シール工程では、胴フィルム２１を挟んで対向配置した側端部シールバー６４により、胴フィルム２１側から、補強テープ３１が配置された側端部２５において、胴フィルム２１と底フィルム３とがさらにヒートシールされる。
底部形成工程では、端部シーラー６５により袋体２の先端部が重ね合わされて、トップシール部２２が形成される。そして、柱状部材６１の内部を通して内容物７が袋体２に充填される。内容物７の充填後、再度端部シーラー６５により、ボトムシール部２３が形成されるとともに、次のピロー包装袋１のトップシール部２２が形成される。
そして、ボトムシール部２３と、後続のピロー包装袋１のトップシール部２２との間で胴フィルム２１が切断されることで、ピロー包装袋１が製造される。
【００１９】
（実施形態の効果）
（１）本実施形態では、ヒートシール工程において、ロール４の回転にシールバー５を追従させるため、底フィルム３の流れを止める必要がない。そのため、胴フィルム２１を流したまま、底フィルム３をヒートシールできるので、効率的に連続製造できる。そして、底フィルム３がヒートシールされた胴フィルム２１に、背貼部２４をヒートシールにより形成して製袋することで、連続的にピロー包装袋１を製造できる。
（２）また、ロール４の周面と胴フィルム２１との間に、底フィルム３を介在させた状態でヒートシールするため、底フィルム３が位置ずれしない。よって、所定の位置に底フィルム３をヒートシールできるので、ヒートシール箇所の位置ずれも防止できる。
【００２０】
（３）そして、シールバー５を追従させた状態でヒートシールするため、融着時間を長くできる。従って、確実に底フィルム３を胴フィルム２１にヒートシールできる。
（４）さらに、ヒートシール工程では、１つのシールバー５により、繰り返して胴フィルム２１に底フィルム３をヒートシールするため、シールバー５を複数設ける必要がない。従って、製造コストを抑えることができる。
【００２１】
（５）また、補強テープ３１を介在させることで、底フィルム３と胴フィルム２１との接着が良好となり、密封性に優れる。すなわち、ピンホールなどの接着不良が発生することを防止できる。
（６）さらに、上述のヒートシール工程に加えて、側端部シール工程を行うため、底フィルム３と胴フィルム２１との接着不良をさらに防止できる。従って、密封性に優れたピロー包装袋１を製造できる。
【００２２】
［変形例］
なお、本発明は、上述の実施形態に限定されるものではなく、本発明の目的を達成できる範囲での変更、改良などは、本発明に含まれるものである。
上述の実施形態では、挿入工程において一対の補強テープが袋体の側端部となる両位置に載置された底フィルムを間欠的にロールの周面の上部に載置しているが、補強テープ及び底フィルムを別々に間欠的にロールの周面の上部に載置してもよい。また、底部形成工程において、トップシール部及びボトムシール部を別々にヒートシールしているが、同時にヒートシールしてもよい。また、シールバーは、１つであったが、複数でもよい。また、１つのシールバーにより、１つの底部材用フィルムをヒートシールする構成を説明したが、シールバーの幅を広くして、１つのシールバーにより、複数の底部材用フィルムをヒートシールする構成でもよい。
そして、底部材用フィルムをヒートシールした後、バネ機構によりシールバーを元の位置に戻す構成を説明したが、カム機構などの自動機構によりシールバーを元の位置に戻す構成でもよい。
本実施形態では、製造する底付き包装袋をピロー包装袋として説明したが、ピロー包装袋には限らない。
また、本実施形態では、背貼部２４（図１）は、図４の製袋工程からわかるようにいわゆる合掌貼り（図５（Ａ））であるが、図５（Ｂ）に示すように、胴フィルム２１の両面をシーラント層にして重ね合わせ部２４’を設けた封筒貼りとしてもよい。さらに、図５（Ｃ）に示すように、胴フィルム２１の端部同士を突き合わせ、両者を接合するテープ２４”を貼った、いわゆるテープ貼りとしてもよい。
また、補強テープを用いない底付き包装袋としてもよい。
その他、本発明の実施における具体的な構造および形状などは、本発明の目的を達成できる範囲で他の構造などとしてもよい。
【産業上の利用可能性】
【００２３】
本発明は、例えば、食品、薬品、医療品、化粧品、雑貨の各種物品を包装するための包装袋の製造方法及び包装袋として利用できる。
【符号の説明】
【００２４】
１    底付きピロー包装袋
３    底部材用フィルム
４    ロール
５    シールバー
２１  胴部材用フィルム
３１  補強テープ
【図１】
2013116611.tif 000003
【図２】
2013116611.tif 000004
【図３】
2013116611.tif 000005
【図４】
2013116611.tif 000006
【図５】
2013116611.tif 000007